(57)【要約】【課題】  事務所内や家内の状況を他者に知らせることなくセキュリティを確保可能としたネットワークカメラシステムを提供する。【解決手段】  監視カメラの映像情報をルーター等の外部ネットワーク接続機器よりＷＡＮやインターネット網などのネットワーク通信網を介して監視センターに送信することで監視と遠隔コントロールがリアルタイムで実行されるネットワークカメラシステムであって、監視カメラは、映像の前フレームと現フレームとを比較して変化部分のみを抽出する解析手段と、該解析手段によって解析抽出された映像を他の画像乃至映像に貼り合わせる合成手段と、該合成手段によって合成された映像を圧縮してＷＡＮやインターネット網等のネットワーク通信網を介して監視センターに送出する圧縮手段とをリアルタイム処理可能にしたことを特徴とするネットワークカメラシステム。【選択図】      図１
2006287893.tif 000002
【特許請求の範囲】
【請求項１】
監視カメラの映像情報をＷＡＮ又はインターネット網等のネットワーク通信網を介して監視センターに送信することで監視と遠隔コントロールがリアルタイムで実行されるネットワークカメラシステムであって、監視カメラは、映像の前フレームと現フレームとを比較して変化部分のみを抽出する解析手段と、該解析手段によって解析抽出された映像を他の画像乃至映像に貼り合わせる合成手段と、該合成手段によって合成された映像を圧縮してネットワーク通信網を介して監視センターに送出する圧縮手段とをリアルタイム処理可能にしたことを特徴とするネットワークカメラシステム。
【請求項２】
合成手段は、前記解析手段によって解析抽出された変化のある映像のみを、差し替えた静止画に貼り合わせ合成した映像とする請求項１記載のネットワークカメラシステム。
【請求項３】
合成手段は、前記解析手段による変化のない画像を、疑似画像と差し替えた映像とする請求項１又は２記載のネットワークカメラシステム。
【請求項４】
合成手段は、監視カメラに映し出された映像によって認識された顔の周辺部分を当該映像に映し出す顔認識処理手段を含む請求項１乃至３のいずれか記載のネットワークカメラシステム。
【請求項５】
監視カメラは、赤外線センサー・遠赤外線センサー等による人間検知センサーの検知によって当該監視カメラを作動させ、撮影、録画、ネットワーク配信可能とした請求項１乃至４のいずれか記載のネットワークカメラシステム。
【請求項６】
カメラ及び映像装置をＵＳＢ、映像取り込みハードウェア等を介してパソコンに接続し、解析手段による動き検出、顔認識処理手段による顔認識でブラインド合成し、ネットワーク配信をパソコンで処理させるソフトウエアを備えている請求項５記載のネットワークカメラシステム。
【発明の詳細な説明】
【技術分野】
【０００１】
本発明は、例えば事務所内や家内等での不正侵入者に対するセキュリティをネットワーク通信網によって確保するためのネットワークカメラシステムに関する。
【背景技術】
【０００２】
従来から、ネットワークカメラシステムとして、例えば特許文献１に開示されているように、不正侵入者に気づかれることなく、設置したセンサーで感知した侵入情報を監視カメラに入力し、その画像とメッセージをＷＡＮやインターネット等のネットワーク通信網を介して指定した複数の携帯電話のメールアドレスに自動的にメール送信する機能を備えた監視カメラ及び携帯電話を使った遠隔防犯監視システムなる技術がある。
【特許文献１】特開２００４−３１２６５０号公報
【発明の開示】
【発明が解決しようとする課題】
【０００３】
しかしながら、従来の監視カメラによれば、侵入者による画像・映像の変化部分と同時に、背景部分までが同時に映し出されてしまうため、事務所内や家内の状況が容易に他者に知られてしまいセキュリティを十分に確保することができなかった。
【０００４】
そこで本発明は叙上のような従来存した諸事情に鑑み創出されたもので、画像・映像の変化部分のみを抽出して背景を出さないようにすることで、事務所内や家内の状況を他者に知らせることなくセキュリティを確保することができるネットワークカメラシステムを提供することを目的とする。
【課題を解決するための手段】
【０００５】
上記した目的を達成するために本発明にあっては、監視カメラの映像情報をＷＡＮ又はインターネット網等のネットワーク通信網を介して監視センターに送信することで監視と遠隔コントロールがリアルタイムで実行されるネットワークカメラシステムであって、監視カメラは、映像の前フレームと現フレームとを比較して変化部分のみを抽出する解析手段と、該解析手段によって解析抽出された映像を他の画像乃至映像に貼り合わせる合成手段と、該合成手段によって合成された映像を圧縮してネットワーク通信網を介して監視センターに送出する圧縮手段とをリアルタイム処理可能にしたことを特徴とする。
【０００６】
また、合成手段は、前記解析手段によって解析抽出された変化のある映像のみを、差し替えた静止画に貼り合わせ合成した映像とすることができる。
【０００７】
更に、合成手段は、前記解析手段による変化のない画像を、疑似画像と差し替えた映像とすることができる。
【０００８】
そして、合成手段は、監視カメラに映し出された映像によって認識された顔の周辺部分を当該映像に映し出す顔認識処理手段を含むものとすることができる。
【０００９】
加えて、監視カメラは、赤外線センサー・遠赤外線センサー等による人間検知センサーの検知によって当該監視カメラを作動させ、撮影、録画、ネットワーク配信可能とすることができる。
【００１０】
カメラ及び映像装置をＵＳＢ、映像取り込みハードウェア等を介してパソコンに接続し、解析手段による動き検出、顔認識処理手段による顔認識でブラインド合成し、ＷＡＮやインターネット等のネットワーク通信網への配信をパソコンで処理させるソフトウエアを備えているものとすることができる。
【００１１】
以上のように構成された本発明に係るネットワークカメラシステムにあって、解析手段は、映像すなわち時間的に連続する画像の前フレームと現フレームとを比較して変化部分のみを抽出することで、映像に動きを検出させる。また、合成手段は、解析手段によって解析抽出された変化のある映像のみを、差し替えた静止画に貼り合わせ合成した映像とすることで、本来外部者に公開されたくない映像が削除された状態でプライバシーを守りながらネットワークを経由して遠隔監視することを可能にさせる。また、合成手段は、前記解析手段による変化のない画像を、疑似画像と差し替えた映像とすることを可能にし、しかも当該疑似画像を他の画像や映像と貼り合わせ可能にさせる。
【発明の効果】
【００１２】
本発明によれば、画像・映像の変化部分のみを抽出して背景を出さないようにすることで、事務所内や家内の状況を他者に知らせることなくセキュリティを確保することができる。
【００１３】
すなわちこれは本発明が、監視カメラの映像情報をＷＡＮやインターネット網等のネットワーク通信網を介して監視センターに送信することで監視と遠隔コントロールがリアルタイムで実行されるネットワークカメラシステムであって、監視カメラは、映像の前フレームと現フレームとを比較して変化部分のみを抽出する解析手段と、該解析手段によって解析抽出された映像を他の画像乃至映像に貼り合わせる合成手段と、該合成手段によって合成された映像を圧縮してネットワーク通信網を介して監視センターに送出する圧縮手段とをリアルタイム処理可能にしたからであり、これにより、動き検出された映像のみを、差し替えた静止画に貼り合わせ合成した映像とすることで、本来外部者に公開されたくない映像が削除された状態でプライバシーを守りながらネットワーク監視することが可能となる。
【００１４】
また、合成手段は、前記解析手段によって解析抽出された変化のある映像のみを、差し替えた静止画に貼り合わせ合成した映像とするので、本来外部者に公開されたくない映像を静止画によって容易に隠蔽することができる。
【００１５】
更に、合成手段は、前記解析手段による変化のない画像を、疑似画像と差し替えた映像とするので、本来外部者に公開されたくない映像を疑似画像によって容易に隠蔽することができる。
【００１６】
そして、合成手段は、監視カメラに映し出された映像によって認識された顔の周辺部分を当該映像に映し出す顔認識処理手段を含むので、監視カメラ映像に顔が認識された場合にリアルタイムで顔の周辺部分を映像に映して侵入者をキャッチすることができる。
【００１７】
また、監視カメラは、赤外線センサー・遠赤外線センサー等による人間検知センサーの検知によって当該監視カメラを作動させ、撮影、録画、ネットワーク配信可能とするので、例えば自動ドア等での入出者を検知した際にネットワーク上で自動的に立ち上げられた監視カメラによってセキュリティを確保することができる自動監視ネットワークシステムを容易に構築することができる。
【００１８】
更に、現在インターネット上等で不特定多数にネットワークカメラによる配信が成されている。この場合、高倍率でのカメラズームは通行人の顔がネット公開されプライバシーの侵害に当る。このとき、顔認識処理手段によってカメラ映像の顔をモザイク、ブラインドさせることでプライバシーの確保が可能である。特に、テレビ電話の場合、顔認識処理手段による顔検出、解析手段による動き検出以外は、モザイクで室内のプライベート確認に有効である。
【００１９】
また、カメラ及び映像装置をＵＳＢ、映像取り込みハードウェア等を介してパソコンに接続し、解析手段による動き検出、顔認識処理手段による顔認識でブラインド合成し、ネットワーク配信をパソコンで処理させるソフトウエアを備えているので、ネットワーク配信の目的以外の一般の監視カメラでのブラインド機能を当該監視カメラに内蔵したり、外付けしたりすることで、パソコンを利用したブラインド合成出力が可能である。
【００２０】
ローカルエリアネットワークの場合、例えば介護・医療用ベッドに顔認識用ブラインドカメラを取り付けた場合、患者のプライバシー確保ができ、ナースセンターでブラインドのＯＮ／ＯＦＦスイッチによりナース業務に影響を及ぼさない。
【００２１】
更に、公共施設での通常モニターによる監視において、モニター出力は顔をブラインドし、緊急時、監視センターでブラインドのＯＮ／ＯＦＦが可能であり、また録画は原映像を録画し、プライバシーと一般監視の両立が可能となる。
【発明を実施するための最良の形態】
【００２２】
以下、本発明を実施する最良の形態を図面を参照して説明すると、図に示される符号１は、本発明に係るネットワークカメラシステムにおける監視カメラであり、該監視カメラ１の映像情報をルータ等の外部ネットワーク接続機器２よりＷＡＮやインターネット網等のネットワーク通信網３を介して監視センター５、職場等のＰＣ、携帯電話（ＰＤＡ）等に送信することで監視と遠隔コントロールがリアルタイムで実行されるものとしている。
【００２３】
すなわち、本システムは、内部アドレスにより管理されている例えば１秒当たり３０フレーム撮影することが可能なＣＣＤカメラや赤外線カメラ等の複数の監視カメラ１に事務所内や家内の映像を入力し、これら監視カメラ１の映像情報をルーター等の外部ネットワーク接続機器２よりＷＡＮやインターネット網等のネットワーク通信網３を介して職場ＰＣや携帯電話ＰＤＡ、更には監視センター５等にリアルタイムで送信することにより、監視と遠隔コントロールが成される。
【００２４】
監視カメラ１には、図１に示すように、当該監視カメラ１の映像の前フレームと現フレームとを比較して変化部分のみを抽出することで動き検出を可能にする解析手段Ｐと、解析手段Ｐによって解析抽出された映像を他の画像乃至映像に貼り合わせる合成手段Ｑと、合成された映像を任意の符号化によってデータ圧縮してからＷＡＮやインターネット網等のネットワーク通信網３を介して送出するための圧縮手段Ｒとを備え、それぞれの手段Ｐ，Ｑ，Ｒをリアルタイムに処理可能としている。
【００２５】
この合成手段Ｑは、前記解析手段Ｐによって解析抽出された変化のある映像のみを、差し替えた静止画に貼り合わせ合成した映像としたり、或いは前記解析手段Ｐによる変化のない画像を、疑似画像と差し替えた映像とすることも可能にしている。また、動きのない画像は基本データとしてＣＰＵ４に記憶されるものとし、このときの画像の明暗を判断して基本データを定期的に更新するものとしている。
【００２６】
監視カメラ１の具体的な構成としては、図２に示すように、当該監視カメラ１は、ネットワークカメラに双方向マルチメデイア通信端末であるＳＴＢ（ｓｅｔ  ｔｏｐ  ｂｏｘ）機能を搭載した高機能性を有するものとしている。尚、既存の監視カメラ１、ビデオカメラを利用する場合には、映像信号や音声信号をこのＳＴＢに接続すれば良い。
【００２７】
また、監視カメラ１の入出力端子には、ＮＴＳＣ等のコンポジット、音声マイク、イーサネット（登録商標）用ＬＡＮ端子、プライバシーＳＷ、外部ネットワークＳＷ、電源ＳＷ、電灯・ＴＶのオンオフＳＷ、呼出会話用インターホン等が設置されている。更に、センサーとしては無線又は有線のいずれであっても良い。
【００２８】
呼出会話用インターホンは職場ＰＣや携帯電話ＰＤＡの監視と遠隔コントロールによって操作される。コンポジット、音声マイクは、ＴＶ電話や元画像録画用のＶＴＲ等に接続され、イーサネット（登録商標）用ＬＡＮ端子、電灯・ＴＶのオンオフＳＷ、呼出会話用インターホンは、ホームネットワークを介して、監視される各フロアをＳＴＢによる監視とカメラ設定、センサーコントロール等によって操作され、しかもＬＡＮデイスクに多重録画できるようにしている。このとき、ルータ２自体は、ＷＡＮやインターネット網等のネットワーク通信網３経由により職場ＰＣや携帯電話ＰＤＡ等の各機器に接続されている。
【００２９】
次に、ＳＴＢのネットワークプロセッサ機能について説明すると、映像信号をブルーバックを利用せずにクロマキー処理加工する機能と、ネットワーク上に疑似映像を常時配信する機能を備えている。この疑似映像は、遠隔切替が可能であるがＳＴＢの手動切替スイッチがＯＦＦの場合は遠隔切替が不可となるようにしている。このとき映像自体はＩＤパスワードで管理し、監視センター５その他に常時配信される。しかも疑似映像は、動画と静止画の双方が可能であり、外部機器からの挿入も可能である。
【００３０】
また、ＳＴＢは、監視カメラ１のネットワーク端子を利用してホーム内外からの制御設定を行うものとしている。更にＳＴＢをＴＶやモニタＴＶ等に接続してリモコンによる遠隔操作で全ての操作設定が行えるようにしている。この他、ＴＶ電話機能と同時にクロマキー処理選択、録画装置の内蔵、更にはカメラ映像の輝度を判断して電灯やＴＶ、カーテン等の制御が可能である。また、ＳＴＢは、ＬＡＮで録画媒体を任意の場所に隠す、所謂無線録画ができるようにしている。
【００３１】
解析手段Ｐによって映像に動きがあるものと判断される異常発生時には、アラーム発報６と同時に監視センター５にこの異常を連絡し、監視センター５は状況を判断して所定の場所に通報する。また、監視カメラ１は、無線機器のタグを装着させることで、解析手段Ｐによる動きが検出されずに無視されるようにしてあり、動きのある侵入者のみを検知して映し出すようにしている。
【００３２】
また、合成手段Ｑは、監視カメラ１に映し出され、解析手段Ｐによって解析抽出した映像によって認識された侵入者の顔の周辺部分を当該映像に映し出すための顔認識処理手段Ｓを備えている。例えば、この顔認識処理手段Ｓは、合成手段Ｑにおいて、前記映像を他の画像乃至映像に貼り合わせるに際し、認識された侵入者の顔面をはっきりと映し出した状態にしてから監視センター５、職場等のＰＣ、携帯電話（ＰＤＡ）等に送信するものとしている。また、プライバシー保護の目的で映像の侵入者の顔面を例えばモザイクやお面、或いは潰し映像等によって隠蔽処理するものとしても良い。これは、一般の監視カメラであっても良い。
【００３３】
合成手段Ｑにおいては、図３に示すように、合成前の監視画像と、ブラインド、ノーマル、フィルタがかかった通常の監視画面とが互いにリモートで切り替えできるようにしている。更に、侵入異常発生と録画される監視画面と、ブラインド、ノーマル、フィルタがかかった通常の監視画面に動き検出された画像を貼り合わせた異常時の監視画面とが互いにリモートで切り替えできるようにしている。尚、ブラインド、ノーマル、フィルタは動画、静止画（白色、黒色）、ラスタ画像、ベクタ画像等を問わない。また、ブラインドは、フレームの嵌め込み以外に画像処理でリアルタイムにモザイク、ステンドグラス調とすることも含む。
【００３４】
前記した顔認識処理手段Ｓは、この顔認識機能によって侵入者の顔のみを映像出力し、その他をブラインドにしたり、反対に顔のみをブラインドし、その他を映像出力したりしても良い。また、ブラインドの具体例としては、映像の一部分として例えば時計を透過させることで自宅やターゲット場所の特定を容易なものとする。このとき透過部分はリアルタイムで映像の上下左右に位置移動が可能としている。しかも、ブラインド種類の変更は、監視センター５、職場等のＰＣ、携帯電話（ＰＤＡ）等からの遠隔操作によって容易に行えるものとしている。
【００３５】
テレビ電話の場合、顔認識処理手段Ｓによる顔検出、解析手段Ｐによる動き検出以外は、モザイクで室内のプライベート確認に有効なものとしている。例えば、監視カメラ映像に顔が認識された場合の周辺部分を映像に映し、侵入者をキャッチする。また、映像場所確認、画質確認、ライブ出力中であることの確認のため、映像の一部を透明、半透明にする（図８中の時計部分）。すなわち、映像の一部分である時計を透過させることで自宅、ターゲット場所の特定が可能となる。この透過部分はリアルタイムで上下左右に位置移動が可能であり、しかもブラインド種類は遠隔操作で変更可能である。この他、ブラインドの種類としては、図８に示すように、映像に例えばモザイク、ピンボケフォーカス、ステンドグラス等を使用する。テレビ電話の場合のプライバシー保持として、ノーマル映像、顔モザイク映像、顔以外のモザイク映像それぞれの例が図９に示されている。
【００３６】
顔認識によるプライバシー保護として、ライブカメラで顔を認識した時のブラインド映像が、図１０に示されている。すなわち、従来においては、公共施設での監視はプライバシーがないため、このように顔を認識しブラインドさせることで公共施設でのライブカメラ映像は安全に公開でき、プライバシーの考慮無くズームアップでき、更に認識された顔をアニメーション、似顔絵、ベタ映像等に書き換えることもできるようにしている。
【００３７】
また、非固定カメラのホームポジションずれ対策として、マーカーを配置設定し、マーカー記憶によるホームポジションを検知し、所定の位置にカメラをパン、チルト、ズームさせるものとしている。このときマーカーは壁時計、ぬいぐるみ、ポスター、カラーパネル等がある。特に、ポスターによる顔認識は有効性が高い。
【００３８】
監視カメラ１に映し出されている映像は人間、動物の出入りが無く、動画撮影されているが同じ映像の繰り返しである。これは、外部者に見せたくない監視映像である。この場合、動きが検出されない画像を疑似画像と差し替え出力する。例えば、図４に示すように、監視カメラ１によって映し出された動きのない映像に「セキュリティ中」と記載された任意の静止画を貼り合わせる。このとき、監視カメラ１の電源ＳＷがＯＮであり正常作動中であることが確認できる。
【００３９】
また、合成手段Ｑにおいては、フィルタがかかった通常の監視画面の他に、保存された動画に差し替えることも可能である。例えば風景動画等に差し替え合成も可能である。このように動き検出された映像のみを、差し替えた静止画に貼り合わせ合成した映像とすることで、本来外部者に公開されたくない映像が削除された状態でプライバシーを守りながらネットワーク上から監視することが可能となる。
【００４０】
このような差し替え映像データは、外部ビデオ入力、監視カメラ内のＳＴＢメモリ、コンパクトフラッシュ（登録商標）等の差し替え挿入可能なメモリ等から出力可能である。また、監視カメラ１をＶＴＲに接続し、監視目的以外のビデオ映像の出力も可能である。更に、差し替えられた映像は侵入映像の異常部分をピクチャーインピクチャーすることもできる。例えば、図５は、差し替えた動画に異常部分のみキャプチャーされた合成映像である。また、図６は、動き検出領域を拡大し抽出したものであり、このとき動き検出を正確に捉える場合には、画面欠落が起こる防止策としてバック背景も一緒に捉えて領域拡大する。また、上半身が動き、下半身が動かない場合もあり、このときには顔認識機能との併用により人体の領域を拡大し、動き全体を認識する。
【００４１】
監視カメラ１には、日照による映像全体の明度変化の防止対策として、全体の明度変化基準の設定により定期的に基準背景をリセットして取り戻しを行う機能を有している。その場合、解析手段Ｐによって部分的な動き変化の確認も行う。また、監視カメラ１の入力輝度の判断により夕闇になった場合には、監視カメラ１の出力信号を出してリモコンで電灯スイッチ、ＴＶスイッチ等をＯＮさせる機能を持たせている。このように電灯、ＴＶ等が自動でＯＮされる機能を持たせると夜間の侵入防止に効果的である。
【００４２】
また、解析手段Ｐによる動き検出以外に、監視カメラ１自体を赤外線センサー・遠赤外線センサー等による人間検知（人感）センサーと連動させ、この人間検知センサーによって侵入者の検知が行なわれた際に、当該監視カメラを自動的に作動させて、撮影、録画、ネットワーク配信等を行なうようにしても良い。このとき、センサー、アラームは、シリアル、メーク接点、外部入出力も可能としている。また、本システムでは、危機管理のレベル別でアラームを発報する。例えば、登録済みの顔認識人物ではレベル１、動き検出ではレベル２、人感センサーではレベル３、顔検出ではレベル４、動き検出と人感センサーとの合成ではレベル５等である。また、異常検知機能で顔認識、遠赤外線センサー、動き検出の総合判断処理による誤作動防止機能を備えている。このとき、顔認識機能を使用している時には、登録人物は検知しないようにしている。しかも、遠赤外線センサー類はペットを検知しない。例えば、動き検出の場合の考えられる誤動作としては、例えば照度変化、水槽の波、風鈴等の微妙な動きによるものがある。また、人感センサーの考えられる誤動作としては、ウエットスーツ着用は基本的に遠赤外線センサーは作動しないが、遠赤外線サーは、ペットの誤検知がある。また、顔認識の考えられる誤動作としては、覆面着用の場合、基本的に認識しない。
【００４３】
このとき、ＵＳＢカメラ、コンポジット出力カメラなどの外部映像機器をパソコンに接続し、解析手段Ｐによる動き検出、顔認識処理手段Ｓによる顔認識でブラインド合成し、ネットワーク配信をパソコンで処理させるソフトウエアを備えている。
【００４４】
また、ネットワーク配信の目的以外の一般の監視カメラ１でのブラインド機能を当該監視カメラ１に内蔵したり、外付けしたりすることでパソコンを利用したブラインド合成出力も可能としている。
【００４５】
更に、ローカルエリアネットワークの場合、例えば介護・医療用ベッドに顔認識用ブラインドカメラを取り付けた場合、患者のプライバシー確保ができ、ナースセンターでブラインドのＯＮ／ＯＦＦスイッチによりナース業務に影響を及ぼさないようにしている。
【００４６】
また、公共施設での通常モニターによる監視において、モニター出力は顔をブラインドし、緊急時、監視センターでブラインドのＯＮ／ＯＦＦが可能としてあり、また録画は原映像を録画し、プライバシーと一般監視の両立が可能となるようにしている。
【００４７】
更に、監視カメラ１は通常時は、撮影、録画のみとし、人間検知センサーによって侵入者の検知が行なわれた際に、当該監視カメラによって自動的にネットワーク配信が行なわれるようにしても良い。
【００４８】
更に加えて、監視カメラ１は通常時は、ＯＦＦ乃至スリープ状態とし、人間検知センサーによって侵入者の検知が行なわれた際に、当該監視カメラ１を自動的にＯＮさせ、撮影、録画、ネットワーク配信が行なわれるようにしても良い。例えば、自動ドアの開閉検知センサー等が働くとそれに連動して監視カメラ１を自動的にＯＮさせることで入出者の監視が行えるようにしても良い。
【００４９】
また、予め人物を登録しておくことによる顔認識機能を使用する時には、人間検知センサーによって登録人物を検知しないように設定することもできる。
【００５０】
次に、以上のように構成された最良の形態についての動作の一例を図１に示すフロー遷移に基づき説明する。監視カメラ１の映像や各種センサーから解析手段Ｐによって動きの検出が行われ、動きのない画像を基本データとしてＣＰＵ４に記憶し、これを疑似画像と差し替えた映像とする。このとき、画像の明暗を判断して基本データを定期的に更新する。
【００５１】
ＰＣや携帯電話はネットワークに常時接続されているか、或いは必要に応じてネットワーク接続されるか、或いは監視センター５経由でネットワーク接続されるかのいずれかに設定されている。尚、元画像録画の場合には、第３者にＶＴＲの場所が特定できず有効性の高いものとなる。これはネットワーク通信回線による遠隔録画や放火防止の際にも有効である。
【００５２】
一方、侵入者等によって映像に動きのある部分が発生した場合には、解析手段Ｐによって動き部分の抽出が行われ、この抽出部分のみを合成手段Ｑによって疑似映像に貼り合わせる。これと平行にアラーム発報６と同時に監視センター５にこの異常を連絡し、監視センター５は状況を判断して所定の場所に通報する。このとき同時に課金が行われる。
【００５３】
また、顔認識処理手段Ｓにより、合成手段Ｑにおいて前記映像を他の画像乃至映像に貼り合わせるに際し、認識された侵入者の顔面をはっきりと映し出した状態にしてから監視センター５、職場等のＰＣ、携帯電話（ＰＤＡ）等に送信する。或いは、この顔認識機能によって侵入者の顔のみを映像出力し、その他をブラインドにしたり、反対に顔のみをブラインドし、その他を映像出力したりしても良い。
【００５４】
そして、ネットワーク上の映像とネットワーク上の映像の元画像とが同時に出力され、遠隔地でのＰＣや携帯電話等に送信され、当該ＰＣや携帯電話で確認と制御が行われる。このとき監視センター５からもＰＣや携帯電話に通報される。ＰＣや携帯電話による確認後には、合成手段Ｑによる疑似映像と動き部分の合成、又は疑似映像を中断して元画像に切替るようにＰＣや携帯電話から制御する。
【００５５】
次に、パソコンを利用したネットワークカメラシステムの動作説明を図７のフローチャートに基づき説明する。先ず、ステップ１でＨＴＴＰサーバーを起動する。ステップ２で、ブラインド画面を外部公開可能なエリアに記録し、ネットワーク上よりアクセス可能とする。ステップ３で画像をキャプチャーする。ステップ４で解析手段Ｐによって動体検知処理を行なう。ステップ５で動体検知が有るか否かを判断させ、動体検知有りの場合にはステップ６に移行してキャプチャー画像より相違範囲を矩形にて切り出す。次に、ステップ７にてブラインド画面を再描写させ、ステップ８で切り出した矩形をブラインド画面上に表示する。すなわち外部公開可能なエリアに格納した画像の更新を行なう。ステップ９で変化のあった画像をディスクにセーブする。ステップ１０で変化のあった画像をＦＴＰサーバーにアップロード（設定による）する。ステップ１１で変化のあった画像を添付メール送信（設定による）する。ステップ１２で警備会社へのアラーム通知処理を行なう。ステップ１３で携帯電話又はＰＣと接続している場合に、警報及びライブ配信が実行されて記録された後、前記ステップ３に戻り、以後の動作が繰り返される。
【００５６】
一方、ステップ５で動体検知が無かったものと判断した場合には、ステップ１４で顔認識処理手段Ｓにより顔認識処理が行なわれ、ステップ１５で顔認識が有るか否かを判断させ、顔認識が有った場合には、ステップ１６でキャプチャー画像より顔の範囲を矩形にて切り出した後、ステップ７に移ってブラインド画面を再描写させ、ステップ８に移行して以後の動作が繰り返される。ステップ１５で顔認識が無かった場合には、前記ステップ３に戻り、以後の動作が繰り返される。
【図面の簡単な説明】
【００５７】
【図１】本発明を実施するための最良の形態における動作説明のためのシステムフロー遷移を示す説明図である。
【図２】同じくシステムの機能を示す構成図である。
【図３】合成手段の一例を示す説明図である。
【図４】同じく合成手段の他の実施例を示す説明図である。
【図５】同じく合成手段の更に他の実施例を示す説明図である。
【図６】同じく合成手段の更に他の実施例を示す説明図である。
【図７】同じくパソコンによる合成手順を説明するフローチャート図である。
【図８】同じくブラインドの種類を示す説明図である。
【図９】同じくテレビ電話の場合のプライバシー保持の具体例を示す説明図である。
【図１０】同じくライブカメラで顔を認識した時のブラインド映像の具体例を示す説明図である。
【符号の説明】
【００５８】
Ｐ      解析手段
Ｑ      合成手段
Ｒ      圧縮手段
Ｓ      顔認識処理手段
１      監視カメラ
２      ルータ等の外部ネットワーク接続機器
３      ＷＡＮやインターネット網等のネットワーク通信網
４      ＣＰＵ
５      監視センター
６      アラーム発報
【図１】
2006287893.tif 000003
【図２】
2006287893.tif 000004
【図７】
2006287893.tif 000005
【図３】
2006287893.tif 000006
【図４】
2006287893.tif 000007
【図５】
2006287893.tif 000008
【図６】
2006287893.tif 000009
【図８】
2006287893.tif 000010
【図９】
2006287893.tif 000011
【図１０】
2006287893.tif 000012